(57)【特許請求の範囲】
【請求項１】
遊技球を払い出すための樹脂製の球通路を備えた弾球遊技機において、
前記球通路を構成する取付基盤およびリアカバーが帯電防止性樹脂により形成され、該球通路における前記遊技球が衝接する内壁面部位に、導電性および弾性を有する導電性ゴムからなる板材による補強部材を、該補強部材より抵抗値が低い導電両面テープを用いて前記取付基盤に電気的に接続させて配設するとともに、前記取付基盤を形成する帯電防止性樹脂の表面抵抗値を、前記リアカバーを形成する帯電防止性樹脂の表面抵抗値より小さな値に設定し、かつ、前記取付基盤はアース線により接地されていることを特徴とする弾球遊技機。
【請求項２】
前記取付基盤の前面に取り付けられ、前記遊技球を受け入れる上受け皿および下受け皿を、導電性樹脂で構成してなることを特徴とする請求項１記載の弾球遊技機。
【発明の詳細な説明】
【０００１】
【発明の属する技術分野】
本発明は、賞球または貸出球の少なくとも一方を払い出すための球通路を備えた弾球遊技機に関し、特に、樹脂により形成された球通路において静電気を除去することができる弾球遊技機に関する。
【０００２】
【従来の技術】
パチンコ機に代表される弾球遊技機は、遊技盤を取り付けるための取付基盤の背面側に、遊技球を供給するための球タンク、賞球払出装置およびこれらの部材を連通するための球通路部材を備えている。このような弾球遊技機では、遊技盤の前面に設けられた遊技部内に遊技球を発射し、この遊技球が入賞口に入賞すると、賞球払出装置を駆動して球タンクに貯留された遊技球を流下させ、弾球遊技機の前面側に設けた上受け皿あるいは下受け皿に遊技球を払い出すようになっている。
【０００３】
このような弾球遊技機に使用される遊技球は、球タンクへ供給される過程や、球タンクから賞球払出装置を経て上受け皿等へ流下する過程において遊技球同士が擦れ合ったり、遊技球と球通路との摩擦により静電気が発生する。この静電気が遊技球や取付基盤に帯電し、それが急激に放電すると、弾球遊技機を電気的に制御している制御回路が誤動作するおそれがある。
【０００４】
そこで、従来の弾球遊技機では、遊技球が流下する球通路を除電樹脂や帯電防止性樹脂等を用いて構成することにより、遊技球同士の摩擦等により発生する静電気を除去していた。
例えば、特開平５−３０５１７７号公報には、球通路が形成される取付基盤の全部または一部を極細繊維物質を含有した除電樹脂により形成したパチンコ機が開示されている。
【０００５】
また、特開平６−１５０５９号公報には、発射ハンドル、遊技球の受け皿、球タンク、リアパネル、基板ケース等を炭素系極細繊維を混入したプラスチックで形成したパチンコ機が開示されている。
【０００６】
また、特開平７−１４４０５８号公報には、取付基盤のほぼ全体を導電性プラスチックにより形成したパチンコ機が開示されている。
【０００７】
また、特開平７−２９９２２１号公報には、球通路が形成される機構枠体を導電性の合成樹脂により形成したパチンコ機が開示されている。
【０００８】
また、特開平８−１９６７１１号公報には、ソレノイドを有する球払出装置を導電性合成樹脂製ケーシングの内部に収容したパチンコ機が開示されている。
【０００９】
また、特開平９−９９１６０号公報には、取付基盤の外面部分、球通路、球排出ユニットのハウジングを導電性樹脂により形成したパチンコ機が開示されている。
【００１０】
また、特開平１０−１５５９９５号公報には、球タンク、球整列レールを帯電防止持続性樹脂により形成したパチンコ機が開示されている。
【００１１】
また、弾球遊技機の球通路は、球タンクから賞球払出装置を経て上受け皿および下受け皿に至るまでの間で屈曲して形成されているため、遊技球が球通路を流下する過程で屈曲部に衝突して球通路が摩耗したり破損するおそれがある。このため、特に遊技球が激しく衝突する部位、例えば上受け皿の入り口付近の側壁および底面や、下受け皿の入り口付近の側壁に補強部材が配設されていた。
【００１２】
【発明が解決しようとする課題】
しかしながら、従来の弾球遊技機では、球通路に配設された補強部材は、遊技球との衝突に耐えるためにステンレス等の金属板により構成されており、その電気抵抗値が極めて低いため、帯電した遊技球が補強部材に衝突した際に、遊技球に帯電した静電気が急激に放電してしまいノイズが発生するおそれがあった。
【００１３】
すなわち、球通路等を除電樹脂や帯電防止性樹脂等を用いて構成することにより、遊技球に帯電した静電気を除去しようとしても、補強部材を配設した部位で新たなノイズが発生してしまい、制御回路等が誤動作する可能性が残ってしまう。例えば、近接センサ等により遊技球を検知する場合に、ノイズにより遊技球の検知に誤りが生じると、賞球数や貸出球数が不正確となり、遊技店の利益が損なわれたり、遊技者との間で無用のトラブルが発生するおそれがある。
【００１４】
本発明は、上述した事情に鑑み提案されたもので、遊技球の供給経路において発生する静電気を十分に除去するとともに、静電気の除去に伴うノイズの発生を防止して制御回路等の誤動作を確実に防止することができる弾球遊技機を提供することを目的とする。
【００１５】
【課題を解決するための手段】
本発明に係る弾球遊技機は、上述した目的を達成するため、以下の特徴点を備えている。
すなわち、本発明に係る弾球遊技機は、遊技球を払い出すための樹脂製の球通路を備えた弾球遊技機において、前記球通路を構成する取付基盤およびリアカバーが帯電防止性樹脂により形成され、該球通路における前記遊技球が衝接する内壁面部位に、導電性および弾性を有する導電性ゴムからなる板材による補強部材を、該補強部材より抵抗値が低い導電両面テープを用いて前記取付基盤に電気的に接続させて配設するとともに、前記取付基盤を形成する帯電防止性樹脂の表面抵抗値を、前記リアカバーを形成する帯電防止性樹脂の表面抵抗値より小さな値に設定し、かつ、前記取付基盤はアース線により接地されていることを特徴とするものである。
この場合、前記取付基盤を形成する帯電防止性樹脂の表面抵抗値を、前記リアカバーを形成する帯電防止性樹脂の表面抵抗値より小さな値に設定することが可能である。
【００１６】
また、前記取付基盤の前面に取り付けられ、前記遊技球を受け入れる上受け皿および下受け皿を、導電性樹脂で構成することが好ましい。
【００１７】
【発明の実施の形態】
以下、本発明に係る弾球遊技機の実施形態について図面を参照しつつ詳細に説明する。なお、以下の説明では、代表的な弾球遊技機としてパチンコ機を例にとって説明を行う。
図１は、本発明の実施形態に係るパチンコ機の正面図、図２は、本発明の実施形態に係るパチンコ機の取付基盤の背面図、図３は、本発明の実施形態に係るパチンコ機の取付基盤に部品を取り付けた状態の背面図である。
【００１８】
本発明の実施形態に係るパチンコ機１は、図１に示すように、いわゆる島に固定するための外枠２を備えており、この外枠２に対して、図２、３に示す取付基盤３を開閉可能に取り付けてある。
取付基盤３の前面には、その上半部に遊技部を有する遊技盤４を取り付け、遊技盤４の下方の取付基盤３の前面には、遊技に使用するための遊技球を貯留するとともに賞として払い出される遊技球を受け入れるための上受け皿５と、上受け皿５からオーバーフローした遊技球を受け入れるための下受け皿６とを上下に並べて取り付け、下受け皿６の右側には、遊技球の発射操作を行うための発射ハンドル７を取り付けてある。
【００１９】
下受け皿６の底面には、下受け皿６内に貯留した遊技球を排出するための球排出口（図示せず）を設け、球排出口には左右方向にスライドして球排出口を開閉するためのスライド部材８を取り付けてある。また、下受け皿６の前面には、スライド部材８と一体となった球抜きレバー９を突出して設けてある。この球抜きレバー９を操作することにより、スライド部材８が左右にスライドして球排出口を開閉することができる。
【００２０】
取付基盤３は、図２に示すように、そのほぼ中央部に遊技盤４に対向する開口部１０を有し、その背面側の側部には、球通路の側壁となるリブ１１を突出して設けてある。
この取付基盤３の背面には、図３に示すように、遊技盤４の背面側に遊技制御を行うための遊技制御回路基板１２を取り付け、発射ハンドル７の背面側に遊技球の発射装置（図示せず）の制御を行うための発射制御回路基板１３を取り付けてある。
【００２１】
また、取付基盤３の背面の上部には、賞球として排出するための遊技球を貯留するための球タンク１４を取り付け、球タンク１４の下方には、球タンク１４に貯留した遊技球を整列して流下させるための球タンク下部通路部材１５を取り付け、球タンク下部通路部材１５の下方には、入賞球に対して所定数の賞球を払い出すための賞球払出装置１６を取り付けてある。
【００２２】
また、球タンク下部通路部材１５の上流側には、球タンク１４内に貯留した遊技球がなくなったことを検知するための球切れ検知スイッチ１７を取り付けてある。
【００２３】
上述したように、球タンク下部通路部材１５と、上受け皿５および下受け皿６との間には、球通路の側壁となるリブ１１を取付基盤３の背面側から突出して設けてあり、このリブ１１にはリアカバー１８を被せてある。
このリアカバー１８は、球タンク下部通路部材１５と賞球払出装置１６との間のリブ１１に被せるリアカバー１８ａと、賞球払出装置１６と上受け皿５との間のリブ１１に被せるリアカバー１８ｂと、上受け皿５と下受け皿６との間のリブ１１に被せるリアカバー１８ｃの３つの部分に分割されている。このようにリブ１１が形成されている領域では、リブ１１にリアカバー１８ａ〜ｃを被せることにより球通路が形成される。
【００２４】
賞球払出装置１６の下流側の球通路は、遊技球の入賞に対する賞品球の払出通路１９と、貸し球の払出通路２０とに分岐しており、その分岐点には流路切替装置２１を設けてある。この流路切替装置２１は、通常の状態では賞品球の払出通路１９へ遊技球が流下するように切り替えられており、ＣＲユニットからの球貸し信号があったときは貸し球の払出通路２０へ遊技球が流下するように切り替えられる。
【００２５】
上述した本実施形態に係るパチンコ機１では、遊技球が球タンク１４から賞球払出装置１６を経て上受け皿５あるいは下受け皿６に供給される際に、遊技球同士の摩擦あるいは遊技球と球通路を構成する部材との摩擦により静電気が発生し、この静電気が遊技球に蓄積される。また、球タンク１４に供給される遊技球に対しても、研磨装置における研磨剤との摩擦により静電気が発生したり、遊技店内の球循環路を通過する際に球循環通路を構成する部材との摩擦により静電気が発生し、この静電気が遊技球に蓄積される。
この静電気が取付基盤３あるいはリアカバー１８ａ〜ｃに帯電したり、あるいは急激に放電すると、遊技制御回路基板１２や発射制御回路基板１３等からなる制御装置が誤動作するおそれがある。
【００２６】
そこで、本実施形態に係る取付基盤３およびリアカバー１８ａ〜ｃは、遊技球に帯電した静電気を除去するために、帯電防止性樹脂により形成されている。この場合、取付基盤３を形成する帯電防止性樹脂の表面抵抗値を、リアカバー１８ａ〜ｃを形成する帯電防止性樹脂の表面抵抗値とほぼ同等またはそれ以下に設定する必要がある。帯電防止性樹脂の表面抵抗値をこのように設定することにより、リアカバー１８ａ〜ｃから取付基盤３へ向かって静電気が流れ易くなるとともに、リアカバー１８ａ〜ｃと取付基盤３とが電気的に一体となって電気容量が大きくなり、安定した除電を行うことが可能となる。
【００２７】
ここで、リアカバー１８ａおよびリアカバー１８ｃは、球通路内を流下する遊技球が衝突する部位を含んでいるため、耐衝撃性に優れた帯電防止性樹脂を使用し、リアカバー１８ｂは、遊技球との接触により摩耗することを防止するため、耐摩耗性に優れた帯電防止性樹脂を使用することが好ましい。
【００２８】
具体的には、取付基盤３は、ＡＢＳ樹脂にポリアミド系吸湿剤を添加した帯電防止性樹脂の発泡成型体により形成し、リアカバー１８ａおよびリアカバー１８ｃは、ＡＢＳ樹脂にポリアミド系吸湿剤を添加した帯電防止性樹脂の射出成形体により形成し、リアカバー１８ｂは、ポリカーボネートにポリアミド系吸湿剤を添加した帯電防止性樹脂の射出成形体により形成する。なお、発泡成型体を形成するための成型方法は、例えば、ＧＣＰ（ガスカウンタプレッシャ）法を用いることができる。
【００２９】
また、取付基盤３およびリアカバー１８ａ〜ｃの材料となる帯電防止性樹脂は、表面抵抗値が１０６〜１０８Ωであることが好ましい。ここで、表面抵抗とは、物体の表面を電流が流れるとき、主として物体の種類と表面の状態によって定まる抵抗のことをいい、単位長さを一辺とする正方形の対向する辺間の抵抗で定義される。
【００３０】
このように帯電防止性樹脂の表面抵抗値を１０６〜１０８Ωとすることにより、遊技球に帯電した静電気を速やかに帯電防止性樹脂に移行させることができるとともに、帯電防止性樹脂に蓄積された静電気を樹脂内部に含まれる水分の平衡状態を利用して効率よく空気中に放電することができる。一方で、帯電防止性樹脂は、蓄積した静電気を急激に放出することがないから、放電によるノイズ発生も防止できる。
一般的に、帯電防止性樹脂による帯電防止性能は、帯電防止性樹脂が空気中の水分を吸着することにより発現される。したがって、帯電防止性樹脂による帯電防止性能は、空気に接する成型品の表面積に依存する。
【００３１】
本実施形態に係る取付基盤３は、帯電防止性樹脂を発泡成型することにより形成されており、発泡成型に使用する発泡剤はその発泡中において水分を放出する。そして、発泡剤から放出された水分は、帯電防止性樹脂の外部に拡散する以前に、帯電防止性樹脂により吸収されるため、成型品の内部においても帯電防止性能を発揮することができる。
このように、本実施形態に係る取付基盤３は、その表面だけではなく、内部においても帯電防止性能を得ることができるため、優れた帯電防止効果を発揮することができる。
【００３２】
なお、界面活性剤を用いて帯電防止を行う方法も考えられるが、界面活性剤は低分子であるため、成型時に取付基盤３の表面に濃縮されてしまい、成型品内部の帯電防止効果は期待できない。このため、本実施形態に係る取付基盤３のような優れた帯電防止効果を発揮することはできない。
【００３３】
また、球タンク１４から上受け皿５および下受け皿６へ至る球通路は屈曲しているため、その屈曲部であって遊技球が衝突する部位には、遊技球との衝突による破損や摩耗を防止するために補強部材２３ａ〜ｃが配設されている。
この補強部材２３ａ〜ｃは、導電性および弾性を有する部材、例えば導電性ゴムの板材からなり、この導電性ゴムの板材を取付基盤３と電気的に接続させるため、抵抗値の低い導電両面テープを用いて球通路の内壁面に貼り付けることにより、遊技球が衝突した際の衝撃を和らげるとともに、この補強部材２３ａ〜ｃを介して遊技球に蓄積された静電気を緩やかに除去するようになっている。
【００３４】
また、この補強部材２３ａ〜ｃの体積抵抗値は約２×１０５Ωとなっており、ステンレス等の金属により補強部材を形成した場合と比較して、遊技球に蓄積された静電気を緩やかに除去することができる。ここで、体積抵抗とは、物体の内部に電流が流れるとき、主として物体の種類によって定まる抵抗のことで、単位長さを辺とする立方体の対向する面間の抵抗で定義される。
補強部材２３ａ〜ｃは、球通路内を流下する遊技球が激しく衝突する可能性がある部位に配設されており、例えば上受け皿５の入り口付近の側壁および底面、下受け皿６の入り口付近の側壁にそれぞれ補強部材２３ａ〜ｃが配設されている。
【００３５】
また、上受け皿５の入り口付近の側壁は、上受け皿５の入り口付近の底面および下受け皿６の入口付近の側壁と比較して、遊技球が衝突する勢いが若干弱いため、補強部材２３ａ〜ｃの厚さを薄くすることができる。具体的には、上受け皿５の入り口付近の側壁の補強部材２３ａの厚さを約１ｍｍとし、上受け皿５の入り口付近の底面の補強部材２３ｂおよび下受け皿６の入口付近の側壁の補強部材２３ｃの厚さを約２ｍｍとしている。
【００３６】
また、補強部材２３ａ〜ｃを球通路の内壁に貼り付けるための接着材である導電両面テープは電気抵抗率を、例えば約７×１０-3Ωとすることができる。
【００３７】
なお、補強部材２３ａ〜ｃを配設する箇所は上述したものに限られず、球通路内を流下する遊技球が衝突する可能性のある部位であれば他の箇所に配設してもよい。また、補強部材２３ａ〜ｃの厚さは、遊技球の流下勢および球通路の傾斜角度等により適宜変更して実施することができる。
さらに、上受け皿５や下受け皿６を導電性樹脂で構成すると、静電気の除電効果が一層確実になる。
【００３８】
また、図示しないが、隣り合うリアカバー同士（１８ａと１８ｂ、１８ｂと１８ｃ）は、それぞれの端部において重なり合うように形成されており、両端部を重ねて接触させることにより、隣り合うリアカバー同士が電気的に接続されている。
【００３９】
また、取付基盤３はアース線２２により接地されており、遊技球に帯電した静電気は、リアカバー１８ａ〜ｃおよび取付基盤３を介して、アース線２２によりパチンコ機１から確実に除去される。
【００４０】
上述した説明では、代表的な弾球遊技機の一例としてパチンコ機１について説明したが、本発明に係る弾球遊技機は、遊技球を発射して遊技を行う遊技機であればどのような遊技機であってもよく、例えば、アレンジボール遊技機、雀球遊技機等にも適用することができる。
【００４１】
【発明の効果】
以上説明したように、本発明に係る弾球遊技機では、樹脂製の球通路において、遊技球が衝接する部位に、導電性および弾性を有する導電性ゴムからなる板材による補強部材を導電両面テープを用いて配設している。
【００４２】
したがって、ステンレス等の金属により補強部材を形成した場合と比較して、遊技球に蓄積された静電気を緩やかに除去することができるのでノイズが発生せず、制御回路の誤動作等を確実に防止することができる。
【００４３】
また、補強部材が弾性を有しているため、遊技球が衝突した際の衝撃を和らげることができ、遊技球との衝突による破損や摩耗を防止することができる。
【図面の簡単な説明】
【図１】本発明の実施形態に係るパチンコ機の正面図
【図２】取付基盤の背面図
【図３】取付基盤に部品を取り付けた状態の背面図
【符号の説明】
１  パチンコ機
２  外枠
３  取付基盤
４  遊技盤
５  上受け皿
６  下受け皿
７  発射ハンドル
８  スライド部材
９  球抜きレバー
１０  開口部
１１  リブ
１２  遊技制御回路基板
１３  発射制御回路基板
１４  球タンク
１５  球タンク下部通路部材
１６  賞球払出装置
１７  球切れ検知スイッチ
１８  リアカバー
１９  上受け皿への球通路
２０  外部への球通路
２１  流路切替装置
２２  アース線
２３ａ〜ｃ  補強部材
【図１】
0004433262.tif 000002
【図２】
0004433262.tif 000003
【図３】
0004433262.tif 000004